(57)【特許請求の範囲】
【請求項１】
表示画面を備えた表示モジュールと、上記表示モジュールの表示画面を取り囲み、上記表示モジュールが収納される筐体のそれぞれ一部を構成する前枠と後枠とを備えた平面型表示装置において、
上記前枠は、前面前枠と後面前枠とで構成され、前面前枠は透明な板であって、後面前枠と接着剤で結合し、かつ、後面前枠と結合する面に着色料が塗布されており、上記後面前枠と上記表示モジュールとは、締結具によって固定され、上記固定される締結具の位置を中心とする所定の範囲を、上記接着剤がない領域としたことを特徴とする平面形表示装置。
【請求項２】
表示画面を備えた表示モジュールと、上記表示モジュールの表示画面を取り囲み、上記表示モジュールが収納される筐体のそれぞれ一部を構成する前枠と後枠とを備えた平面型表示装置において、
上記前枠は、前面前枠と後面前枠とで構成され、前面前枠は透明な板であって、後面前枠と接着剤で結合し、かつ、後面前枠と結合する面に着色料が塗布されており、上記後面前枠と上記後枠とは、締結具によって固定され、上記固定される締結具の位置を中心とする所定の範囲を、上記接着剤がない領域としたことを特徴とする平面形表示装置。
【請求項３】
請求項１または請求項２記載の平面形表示装置において、上記接着剤は両面テープであることを特徴とする平面形表示装置。
【請求項４】
請求項１乃至請求項３のいずれか１つに記載の平面形表示装置において、
上記後面前枠は、コーナ部を中心とする複数の枠に分割してなることを特徴とする平面形表示装置。
【発明の詳細な説明】
【技術分野】
【０００１】
本発明は、画像等を表示する平面型表示装置に関し、特に、液晶ディスプレイ等のＦＰＤ（ Flat Panel Display ）パネル等の表示機構を収納する筐体に関する。
【背景技術】
【０００２】
ＴＶ受像機等の表示装置においては、近年、ユーザのデザイン嗜好に伴って、機器本体やディスプレイ筐体自体に多様な外観デザインも採用され始めている。
従来、平面型画像表示装置としては、例えば、特許文献１に記載されているようなものがある。特許文献１に記載された平面型画像表示装置では、表示機構を収納する筐体の前部のベゼル部分について、「半透明な光透過性枠体とＦＰＤパネルの間には、ＦＰＤパネルの表示画面を取り囲む枠形状のデザインシートと、このデザインシートを背面側から支持し、光透過性枠体の背面に均一に密着させる枠形状のスペーサを配置した」構成を特徴としている。
【０００３】
【特許文献１】特開２００１−１００６５０号公報
【発明の開示】
【発明が解決しようとする課題】
【０００４】
近年、ＴＶ受像機に代表されるように、表示装置は、大型化及び薄型化が進みつつある。しかしながら、従来技術、特に、上記特許文献１に開示される表示装置では、大型化のためにはデザインシートも大きくなり、気泡やしわを発生しないように表示装置の前部の枠体に貼り付けることが難しくなってきている。また、デザインシートを貼り付けるための薄型化の余分なスペースは、薄型化の方向と相反する。
本発明の目的は、上記のような問題を解決し、製造工程の煩雑化やコスト高を招くことなく、情報表示装置に最適な外観デザインを実現し、大型化及び薄型化を実現した平面型表示装置を提供することにある。
【課題を解決するための手段】
【０００５】
上記の目的を達成するために、本発明の平面型表示装置は、表示画面を備えた表示モジュールと、上記表示モジュールの表示画面を取り囲み、上記表示モジュールが収納される筐体のそれぞれ一部を構成する前枠と後枠とを備えた平面型表示装置において、上記前枠は、前面前枠と後面前枠とで構成され、前面前枠は透明な板であって、後面前枠と接着剤で結合し、かつ、後面前枠と結合する面に着色料が塗布されているものである。
また、好ましくは、上記平面形表示装置の上記接着剤は両面テープである。
【０００６】
また好ましくは、上記段落０００５に記載の平面形表示装置において、上記後面前枠と上記表示モジュールとは、締結具によって固定され、上記固定される締結具の位置を中心とする所定の範囲を、上記接着剤がない領域である。
また好ましくは、上記段落０００５に記載の平面形表示装置において、上記後面前枠と上記後枠とは、締結具によって固定され、上記固定される締結具の位置を中心とする所定の範囲を、上記接着剤がない領域である。
【０００７】
また好ましくは、上記段落０００５若しくは０００６に記載の平面形表示装置において、上記後面前枠は、コーナ部を中心とする複数の枠に分割してなるものである。
【発明の効果】
【０００８】
本発明によれば、製造工程の煩雑化やコスト高を招くことなく、情報表示装置に最適な外観デザインを提供し、大型化及び薄型化を実現した平面型表示装置を実現することができる。
【発明を実施するための最良の形態】
【０００９】
以下、本発明による最良の形態について、添付の図を用いながら詳細に説明する。なお、以下の各図において、共通な機能を有する要素には同一符号を付して示し、一度説明したものについては、煩雑と思われる場合には、その重複する説明を省略する。
【００１０】
本実施例では、平面型表示装置の一例として、液晶ＴＶ受像機に適用した場合を例に採って説明する。
図１は、本発明の平面型表示装置の一実施の形態である液晶ＴＶ受像機の構成の一例を示す分解斜視図である。１１０は前面前枠、１２０は後面前枠、１３０はパネルモジュール、１５０はバックカバー（後枠）、１１１は飾り板、１１３は前面前枠１１０を後面前枠１２０に上から固定するためのネジ、１１４は前面前枠１１０を後面前枠１２０に下から固定するためのネジ、１２１は後面前枠１２０を液晶パネルモジュール１３０に固定するための固定金具、１３１は下フレーム、１４１はメインフレーム、１４２は電源基板、１４３は信号基板、１４４は端子基板、１４５は端子パネル板、１４６は取り付け部品、１５１は端子カバーである。
【００１１】
図１における液晶ＴＶ受像機では、後面前枠１２０と前面前枠１１０とを、両面接着用のテープ若しくは両面接着用のシート等の両面接着剤によって固定する。また、前面前枠１１０には、任意の位置に、少なくとも１つの飾り板１１１が取り付けられている。そして、後面前枠１２０を液晶パネルモジュール１３０と固定金具１２１によって固定する。
また、液晶パネルモジュール１３０の後ろ側には、下フレーム１３１とメインフレーム１４１を取り付け、更に、それらを固定用の支持台として、電源基板１４２、信号基板１４３、端子基板１４４、及び端子パネル板１４５を搭載している。
そして、下フレーム１３１、メインフレーム１４１、電源基板１４２、信号基板１４３、端子基板１４４、端子パネル板１４５、及び取り付け部品１４６を搭載した液晶パネルモジュール１３０の後ろ側に、バックカバー（後枠）１５０と端子カバー１５１とを取り付けている。
なお、飾り板１１１には、文字、図形、絵、又は、人気アニメのキャラクター等の図柄等が表記されている。また、製品によっては、飾り板１１１がない場合もある。
なお、上記ＴＶ受像機は、床置きタイプの場合には、筐体全体を水平面内での旋回およびチルト動作が可能なように支持するスタンド部を更に有する。また、壁掛けタイプの場合には、スタンド部を取り外し、壁に吊下げる。
【００１２】
上記のように、図１における液晶ＴＶ受像機では、先ず、後面前枠１２０を液晶パネルモジュール１３０とを固定金具１２１によって固定する。その後、後面前枠１２０と前面前枠１１０とを、両面接着用のテープ若しくは両面接着用のシート等の両面接着剤によって固定している。
図２及び図３は、後面前枠１２０と、後面前枠１２０に両面テープを取り付けた実施形態を説明するための図である。図２及び図３は、この前側に前面前枠１１０が最終的に取り付けられるものである。
図２において、後面前枠１２０は、インジェクション成形で加工形成したＡＢＳ（アクリロニトリル・ブタジエン・スチレン）樹脂等の硬質プラスチック材料である。また、着色剤によって、所望の色に不透明に加工されている。またあるいは、所望の模様が描かれている。また、ＡＢＳ樹脂は、自消機能を有することから、発火対策も兼ねる。
【００１３】
インジェクション成形等の加工では、液晶ＴＶ受像機等の平面型表示装置は、画面サイズの大型化が進み、出来上がった加工物、ここでは後面前枠１２０は、成形収縮等により外形寸法のばらつきが大きくなる傾向にある。従って、同様の方法で加工成形される前面前枠１１０の外形寸法のばらつきも考えると、両者を貼り合わせが困難となって、組み付け不良が発生し易くなっている。そこで、本発明の図２に示すように、後面前枠１２０を分割して加工成形し、個々の寸法ばらつきを小さくし、かつ、組み付け不良の低減を図った。
また、分割する場合の基準をコーナー部Ｃ１〜Ｃ４とすることにより、組立の時の位置合わせを容易にしたものである。即ち、コーナー部で位置決めする場合には、縦方向と横方向が同時に位置合わせできるため、位置決めし易い。
図２及び図３では、後面前枠１２０は、従って４つの小片１２０−１、１２０−２、１２０−３、及び、１２０−４から成っている。
図示しないが、後ろ側にすでに（液晶パネルモジュール１３０）から見た図、図３は、図３に１５［ｍｍ］幅の両面テープ３０１−１〜３０１−１０を張り付けた一例を示した図である。
【００１４】
次に、図４は、前面前枠と後面前枠を貼り付ける前の状態を示す図である。また図５は、前面前枠と後面前枠を貼り付けた後の状態を示す図である。両図とも、ユーザから見て裏側の面から見た図である。
図４において、４０１は、前面前枠１１０の内側の窓部であり、ユーザがこの窓部を通して、液晶パネルモジュール１３０の表示画面を見ることができる。なおこの窓部４０１には、表示画面をを保護するための透明なガラス若しくはプラスチック等の保護膜若しくは保護板を設けても良い。
また、前面前枠１１０は、透明な樹脂、例えば、ＡＢＳ樹脂等のプラスチック材料を使用している。そして、インジェクション成形後、その裏側（後面前枠１２０側）の面に塗料を付着させ、任意の色若しくは模様に着色している。なお、裏側の面（ユーザから見て裏側の面：裏面）に着色することによって、前面前枠１１０はユーザがＴＶを視聴する時に視野内に入る枠に深身が感じる効果がある。即ち、意匠性の高い外観が達成できる。
また、前面前枠１１０の裏面に塗料を付着させる部分の厚みを均等にし、かつ、突起や溝を設けないことにより、ユーザが見た時の外観に好感を与える効果を期待している。
【００１５】
図５は、前面前枠１１０と後面前枠１２０を貼り付けた後の状態である。図１の分解斜視図には、更に、前面前枠１１０を後面前枠１２０に上から固定するためのネジ１１３と、前面前枠１１０を後面前枠１２０に下から固定するためのネジ１１４が設けられていた。しかし、両面テープの貼り付け強度特性を上げることにより、これらのネジを削除することも可能である。また、据え置きタイプ平面型表示装置の場合には、ユーザが下側を持って移動させることもあるので、下から固定するためのネジ１１４だけ取り付けても良い。また更に、ネジの数は図１の実施例に限らないことは勿論である。
【００１６】
上記実施例において、前面前枠１１０を後面前枠１２０とを両面テープ３０１等によって接着することを説明した。しかし、この接着して構成された前枠５００を、液晶パネルモジュール１３０及びバックカバー１５０に取り付けなければ、平面型表示装置としての構成が完成しない。従って、この前枠５００は、ネジ等の締結金具でネジ止めを行う必要がある。
ところが、後面前枠１２０と液晶パネルモジュール１３０とを接続する場合、及び、後面前枠１２０とバックカバー１５０とを接続する場合においては、固定のためにネジを締める時に引き込み力が働き、後面前枠１２０に変形が起きる。この変形は、後面前枠１２０のみならず、両面テープ３０１等の接着剤で固定された前面前枠１１０にも影響を与える。即ち、前面前枠１１０も変形する。更に、前面前枠１１０の変形に加えて、前面前枠１１０を後面前枠１２０の形状や材質の違いによって変形応力の違いが生じる。このため、その違いによって両面テープ３０１等の接着剤が剥がれる現象が起きる。
前面前枠１１０の変形及び両面テープ３０１等の接着剤に対する影響は、製品の信頼性にもかかわり重要である。
そこで、本発明の別の実施例では、その点を解決する。
【００１７】
図６によって、本発明の上述の別の実施例について説明する。図６は、本発明の一実施例による前面前枠１１０と、後面前枠１２０に両面テープ３０１を取り付けた例を説明するための略断面図である。６０１と６０３は後面前枠１２０に付属のネジ穴、６０２と６０４はネジ、６０５は後面前枠１２０と前面前枠１１０の間の隙間で、後面前枠１２０に両面テープ３０１がない空白部である。
図６において、液晶パネルモジュール１３０と後面前枠１２０とが、ネジ６０４とネジ穴６０３によって締結されると、相対的に、液晶パネルモジュール１３０と後面前枠１２０とが引き合う。しかし、当該箇所に両面テープ３０１のない領域６０５があるため、前面前枠１１０には引き合う力があまり働かない。
同様に、バックカバー１５０と後面前枠１２０とが、ネジ６０２とネジ穴６０１によって締結されると、相対的に、バックカバー１５０と後面前枠１２０とが引き合う。しかし、当該箇所に両面テープ３０１のない領域６０５があるため、前面前枠１１０には引き合う力があまり働かない。
【００１８】
これによって、後面前枠１２０と、液晶パネルモジュール１３０若しくはバックカバー１５０とが固定されても、前面前枠１１０に働くネジ引き込み力（変形応力）を低減した。
なお、図７によって、上記隙間についての別の実施例を説明する。図７は、ネジ及びネジ穴の位置に対して、ネジ穴若しくはネジの中心から所定範囲について、両面テープを除いた例を説明するための図である。
即ち、後面前枠１２０と前面前枠１１０は、両面テープ３０１′の接着力によって貼り付けられている。後面前枠１２０には、ネジ穴６０１′と６０３′とが備えられている。
ネジ穴６０３′とネジ６０４′を締結することによって、液晶パネルモジュール１３０と前枠５００とが結合する。
更に、ネジ穴６０１′とネジ６０２′を締結することによって、バックカバー１５０と前枠５００とが結合する。
このとき、ネジ穴６０１′、６０３′、及びネジ６０２′、６０４′の中心から所定の範囲には、両面テープ３０１′がない空白部（隙間）６０５−１及び６０５−２を設けており、ネジとネジ穴とが締結された時の引き込み力を緩和している。
【００１９】
これによって、前枠と液晶パネルモジュール、及び前枠とバックカバーとを結合する時に、前枠の前面前枠に加えられる引き込み力を低減し、信頼性の高い前枠を有した液晶ＴＶ受像機、ひいては、平面型表示装置を実現することができる。
なお、隙間（空白部）の形状は、図７の実施例では正円であったが、この形状に限るものではない。
また、前枠を取り付ける（結合する）対象も、液晶パネルモジュールやバックカバーに限定するものではない。
【００２０】
図８は、本発明の一実施例を適用したＴＶ受像機の正面図である。前面前枠１１０は黒い部分が、透明部分に裏面から塗装した部分、その周囲はとそう  
していない部分である。前面前枠１１０の内側は窓４０１であり、液晶パネルモジュールの表示画面が見える部分である。図８では、表示画面の画像は省略している。また、正面図なので、見えないが、実際には、前面前枠１１０は後面前枠１２０と両面テープで結合しており、前枠５００を構成している。なお、ＴＶ受像機は、据え置きタイプで、リモートで操作可能なスイーベルスタンド８０１上に搭載されている。
横幅Ｗ（単位［ｃｍ］）と高さＴ（単位［ｃｍ］）とすると、Ｗ×Ｔは、例えば、６７．０×４８．３（２６Ｖ）、８２．２×５９．１（３２Ｖ）、９４．９×６６．４（３７Ｖ）、１０４．９×５６．６（３７Ｖ）、１１３．４×６４．８（４２Ｖ）、１２４．０×８３．６（５０Ｖ）等である。なお、カッコは、ＴＶ受像機の画面サイズを表す。
【００２１】
上述した図１〜図８の実施例によれば、前面前枠には、締結用のネジ穴等の突起や溝を設けない構造とすることによって、ユーザが視認する前枠部には、表示装置の構成物が見えず、ユーザが表示装置の表示画面を見るときに同時に視認されるベゼル若しくは前枠と呼ばれる枠の美観が向上する。
また、両面テープ等の接着剤で前枠の前面と後面前枠とを結合した場合でも、前枠と他のモジュール類と結合する締結具による締め付けによる引き込み力を緩和できるので、信頼性の高い表示装置の前枠を提供することができる。
また、後面前枠を分割し、コーナ部で位置合わせできるようにすることで、インジェクション成形による前面前枠と後面前枠、それぞれの成形寸法のバラツキを軽減でき、大型の平面型表示装置においても、組立易く、組立時間が低減できる。
また、後面前枠を複数の画面サイズの表示装置に共用できるため、型台の作成費用を低減できる。また、部品の共用化によるコスト削減が期待できる。
【００２２】
以上、本発明を実施の形態に基づき具体的に説明したが、本発明は上記実施の形態に限定されるものではなく、その要旨を逸脱しない範囲で種々変更可能であることはいうまでもない。
【００２３】
たとえば、上述の実施の形態では、平面型表示装置の一例として、液晶ＴＶ受像機に適用した場合を例示したが、ＰＣ（ Personal Computer ）、広告表示パネル、駅、道路等の案内板、等一般のディスプレイに広く適用することができることは言うまでもない。また更に、ディスプレイだけでなく、絵画、写真、等の美術品、芸術品を飾る額縁等に使用しても良い。
【００２４】
なお、本発明の実施例の説明において、具体的な数値が記載されているが、本発明はこのような数値に限定されるべきものではない。
【図面の簡単な説明】
【００２５】
【図１】本発明の一実施の形態である平面型表示装置を説明するための分解斜視図。
【図２】本発明の一実施の形態である前面前枠と、前面前枠に両面テープを取り付けた例を説明するための図。
【図３】本発明の一実施の形態である前面前枠と、前面前枠に両面テープを取り付けた例を説明するための図。
【図４】本発明の一実施の形態である前面前枠と後面前枠を貼り付ける前の状態を示す図。
【図５】本発明の一実施の形態である前面前枠と後面前枠を貼り付けた後の状態を示す図。
【図６】本発明の一実施例による前面前枠１１０と、後面前枠１２０に両面テープ３０１を取り付けた例を説明するための略断面図。
【図７】本発明の一実施例の両面テープを除いた例を説明するための図。
【図８】本発明の一実施例を適用したＴＶ受像機の正面図。
【符号の説明】
【００２６】
１１０：前面前枠、  １１１：飾り板、  １１３：前面前枠１１０を後面前枠１２０に上から固定するためのネジ、  １１４：前面前枠１１０を後面前枠１２０に下から固定するためのネジ、  １２０：後面前枠、１２０−１〜１２０−４：後面前枠の小片、  １２１：後面前枠１２０を液晶パネルモジュール１３０に固定するための固定金具、  １３０：液晶パネルモジュール、  １３１：下フレーム、  １４１：メインフレーム、  １４２：電源基板、  １４３：信号基板、  １４４：端子基板、  １４５：端子パネル板、  １４６：取り付け部品、  １５０：バックカバー、  １５１：端子カバー、  ３０１、３０１′、３０１−１〜３０１−１０：両面テープ、  ４０１：窓部、  ５００：前枠、  Ｃ１〜Ｃ４：コーナー部、  ６０１、６０１′、６０３、６０３′：ネジ穴、  ６０２、６０２′、６０４、６０４′：ネジ、  ６０５、６０５−１、６０５−２：両面テープがない空白部（隙間）、  ８０１：スタンド。
【図１】
0005022850.tif 000002
【図２】
0005022850.tif 000003
【図３】
0005022850.tif 000004
【図４】
0005022850.tif 000005
【図５】
0005022850.tif 000006
【図６】
0005022850.tif 000007
【図７】
0005022850.tif 000008
【図８】
0005022850.tif 000009